(57)【要約】【課題】ＨＤＤの書き込みエラーが正規手順でオフされた電源オフによるものか否かを簡単に判別し、システムを正常復帰できるようにする。【解決手段】主電源スイッチより本体電源をＯＮした際、ＨＤＤ故障もしくはＨＤＤ書き込み中の電源断があった場合にはＨＤＤエラーを検出する（Ｓ１０１）。ＨＤＤエラーを検知したら、電源断検知回路の主電源断フラグが立っているか立っていないかを見に行く。主電源断フラグはデフォルトＯＮとなっており、操作部電源キー押下を行い、規定の手順を踏んだ場合にはフラグがクリアされる仕組みとなっている。フラグは不揮発メモリに記録される。これにより、ステップＳ１０５でＨＤＤエラーと判断することができる。【選択図】図２
2010004293.tif 000002
【特許請求の範囲】
【請求項１】
情報を大量に記憶可能なハードディスクと、
主電源スイッチ及び操作部電源キーの２つの電源断接手段と、
を有する画像形成装置において、
前記操作部電源キー押下より電源断したのか前記主電源スイッチより電源断したのかを識別する手段と、
前記ハードディスクエラーを検出する手段と、
電源ＯＮによる装置の起動時に前記ハードディスクエラーを検出した場合、前回の電源断が前記操作部電源キー押下によるものか前記主電源スイッチによるものかを判別する手段と、を備え、
前記判別手段の判別結果に基づいて、発生したエラーが前記ハードディスクエラーか書き込み不良かを判断することを特徴とする画像形成装置。
【請求項２】
請求項１に記載の画像形成装置において、
前記ハードディスクエラーとなっている箇所を特定し、識別する手段と、
前記ハードディスクエラーとなっている箇所がテンポラリ領域である場合には前記ハードディスクに対して再書き込みを行う手段と、
を備えていることを特徴とする画像形成装置。
【請求項３】
請求項１に記載の画像形成装置において、
前記ハードディスクエラーとなっている箇所を特定し、識別する手段と、
ファイルシステム領域を２重化によりバックアップする手段と、
前記ハードディスクエラーとなっている箇所がファイルシステム領域である場合にはハードディスクに対して前回、正常起動時のバックアップ領域からの読み出しを行う手段と、
を備えていることを特徴とする画像形成装置。
【請求項４】
請求項２に記載の画像形成装置において、
前記主電源スイッチによる電源断を操作部に表示する手段を有し、
前記ハードディスクエラーとなっている箇所がテンポラリ領域である場合には前記操作部に前回主電源スイッチによる電源断があったこと、及び、リカバリー処理を行っている旨を表示することを特徴とする画像形成装置。
【請求項５】
請求項３に記載の画像形成装置において、
前記主電源スイッチによる電源断を操作部に表示する手段を有し、
前記ハードディスクエラーとなっている箇所がファイルシステム領域である場合には操作部に前回主電源スイッチによる電源断があったこと、及び前回正常起動時の状態にリカバリー処理を行っても良いかの確認ボタンを表示させることを特徴とする画像形成装置。
【請求項６】
請求項５に記載の画像形成装置において、
前記表示された確認ボタンが押下された場合にはリカバリー処理を行うことを特徴とする画像形成装置。
【請求項７】
請求項４又は６に記載の画像形成装置において、
前記操作部に表示する手段は、前記リカバリー処理を行っているとき、前記操作部に主電源スイッチによる電源断を行わないように警告表示することを特徴とする画像形成装置。
【請求項８】
請求項１ないし７のいずれか１項に記載の画像形成装置において、
前記主電源スイッチより電源断した場合に電源断日時を記録する手段を備えていることを特徴とする画像形成装置。
【請求項９】
情報を大量に記憶可能なハードディスクと、
主電源スイッチ及び操作部電源キーの２つの電源断接手段と、
を有する画像形成装置の書き込みエラー検知方法において、
前記操作部電源キー押下より電源断したのか前記主電源スイッチより電源断したのかを識別し、
電源ＯＮによる装置の起動時に前記ハードディスクエラーを検出した場合、前回の電源断が前記操作部電源キー押下によるものか前記主電源スイッチによるものかを判別し、
前記判別結果に基づいて前記ハードディスクエラーか書き込み不良かを判断すること
を特徴とする画像形成装置の書き込みエラー検知方法。
【請求項１０】
情報を大量に記憶可能なハードディスクと、
主電源スイッチ及び操作部電源キーの２つの電源断接手段と、
を有する画像形成装置の書き込みエラー検知をコンピュータによって実行するためのコンピュータプログラムにおいて、
前記操作部電源キー押下より電源断したのか前記主電源スイッチより電源断したのかを識別する手順と、
電源ＯＮによる装置の起動時に前記ハードディスクエラーを検出した場合、前回の電源断が前記操作部電源キー押下によるものか前記主電源スイッチによるものかを判別する手順と、
前記判別結果に基づいて前記ハードディスクエラーか書き込み不良かを判断する手順と、
を備えていることを特徴とするコンピュータプログラム。
【発明の詳細な説明】
【技術分野】
【０００１】
本発明は、データ蓄積にＨＤＤ装置を利用する画像形成装置に係り、特にＨＤＤ装置の書き込み中の電源オフによる書き込み不良を判断し、ＨＤＤ装置に記憶されたデータに対するセキュリティや正当性を担保できる画像形成装置、この画像形成装置で実行される書き込みエラー検知方法、及びこの書き込みエラー検知方法をコンピュータで実行するためのコンピュータプログラムに関する。
【背景技術】
【０００２】
従来、ハードディスク装置（Hard Disk Drive−以下、ＨＤＤと称す）等の大容量記憶装置を備えた画像形成装置として、複写機を基本とし、プリンタ、ファクシミリ等の機能を備えた複合機が普及している。このような複合機は、原稿の画像を光学的に読み取ってプリントアウトするコピー機能はもちろん、外部のコンピュータから送られた画像データを印刷するプリンタ機能、ＦＡＸ送受信等のファクシミリ機能を備えるとともに、前記記憶手段に入力された画像データをユーザの指示に応じて読み出して、適宜印刷できるようになっている。
【０００３】
ところが、上記のように記憶手段を搭載する場合、大容量のデータを蓄積できる利便性があると同時に、蓄積されたデータのセキュリティを担保できるか否かが問題となる。これは、データ蓄積にＨＤＤを使用するシステムにおいて、そのデータ自体が暗号化されたとしても、例えば、第三者により勝手にＨＤＤがすり替えられたり、接続経路途中にデータ漏洩目的で別のデバイスが接続されたり、書き込みが確実に行われていない場合でも、システムが起動すれば、そのシステムをそのまま使用することになるため、そのシステムと記憶データに対する正当性やセキュリティが保障できないということを意味する。
【０００４】
このような記憶データの正当性やセキュリティを保障する技術として、例えば、特許文献１ないし３に記載された発明が公知である。このうち、特許文献１には、停電などの瞬断でハードディスクの動作中にハードディスクの電源が止まってしまうとハードディスクの記憶領域が壊れてしまうことを防止するため、バックアップ電源と、ハードディスクがライトアクセスしているかどうか判定する判定手段を備えたハードディスクコントローラとＡＣ電源遮断検知手段を持ち、前記ＡＣ電源遮断検知手段により遮断を検知すると、切り換え回路により、ハードディスク及びハードディスクコントローラの一部の電源を前記バックアップ電源に切り換え、前記ハードディスクコントローラは、ＨＤＤに接続している信号をハイインピーダンス状態する発明が記載されている。
【０００５】
また、特許文献２には、読み書き可能な不揮発メモリデバイス(HDD, SRAM, FRAM, FLASH等)へ書き込み中に電源断されることによって、データが壊れ、故障(エラーコード出力)したときの復旧時にデータ不整合が起こらないようにするため、不揮発性記憶装置内のデータを固定長又は可変長の１つ以上の領域に細分化して管理する機能を持つコンピュータ装置において、該不揮発性記憶装置内の１つ以上の細分化された領域のデータ書き換えの際に、該細分化領域のデータを退避してから書き換えるようにした発明が記載されている。
【０００６】
さらに、特許文献３には、データ蓄積にＨＤＤを利用する画像処理装置において、第三者によって勝手にＨＤＤが交換されたり、データ漏洩目的で別のデバイスが接続されたりしても、記憶データに対するセキュリティや正当性を保障するために、画像データを蓄積する記憶装置と不揮発性の内部メモリとを備える記憶装置ユニットと、前記記憶装置ユニットと接続され不揮発性の内部メモリを備えるメイン制御ユニットとを有する画像処理装置であって、前記記憶装置を起動するためのキーとして利用するコードで、生成されるたびに異なる不定のコードである起動コードを生成する起動コード生成手段と、前記起動コード生成手段により生成された起動コードを前記記憶装置ユニット及び前記メイン制御ユニットの内部メモリへ格納する起動コード格納手段と、前記起動コード格納手段により格納されたそれぞれの起動コードを参照して前記記憶装置及び画像処理装置の起動停止処理を制御する起動停止制御手段とを有する発明が記載されている。
【特許文献１】特開２００６−２３６２３５号公報
【特許文献２】特開２００８−００４０１１号公報
【特許文献３】特開２００８−０２７０６０号公報
【発明の開示】
【発明が解決しようとする課題】
【０００７】
特許文献１記載の発明では、ハードディスクコントローラの一部をバックアップ電源に切り換え、ハードディスクに接続している信号をハイインピーダンスに保持するのとの同時にハードディスクの内部バッファに蓄積された全てのデータの書き込みを終了させるまでハードディスクにリセットをかけ続けることでＨＤＤのライトエラーを防止しようとしているが、バックアップ電源を使用するので、その分のコストが高くなる。
【０００８】
特許文献２記載の発明では、不揮発性記憶装置内の１つ以上の細分化された領域のデータ書き換えの際に、該細分化領域のデータを退避してから書き換えるようにしており、この発明の実施が必要な条件として不揮発性記憶装置内のデータを固定長又は可変長の１つ以上の領域に細分化して管理する機能を持つ必要があり、このような機能を持たない装置には適用ことはできない。
【０００９】
特許文献３記載の発明では、第三者によって勝手にＨＤＤが交換されたり、データ漏洩目的で別のデバイスが接続されたりしても、記憶データに対するセキュリティや正当性を保障することを対象としており、電源オフについて考慮されているわけではない。
【００１０】
そこで、本発明が解決しようとする課題は、ＨＤＤの書き込みエラーが正規手順でオフされた電源オフによるものか否かを簡単に判別し、システムを正常復帰できるようにすることにある。
【課題を解決するための手段】
【００１１】
前記課題を解決するため、第１の手段は、情報を大量に記憶可能なハードディスクと、主電源スイッチ及び操作部電源キーの２つの電源断接手段とを有する画像形成装置において、前記操作部電源キー押下より電源断したのか前記主電源スイッチより電源断したのかを識別する手段と、前記ハードディスクエラーを検出する手段と、電源ＯＮによる装置の起動時に前記ハードディスクエラーを検出した場合、前回の電源断が前記操作部電源キー押下によるものか前記主電源スイッチによるものかを判別する手段とを備え、前記判別手段の判別結果に基づいて、発生したエラーが前記ハードディスクエラーか書き込み不良かを判断することを特徴とする。
【００１２】
第２の手段は、第１の手段において、前記ハードディスクエラーとなっている箇所を特定し、識別する手段と、前記ハードディスクエラーとなっている箇所がテンポラリ領域である場合には前記ハードディスクに対して再書き込みを行う手段とを備えていることを特徴とする。
【００１３】
第３の手段は、第１の手段において、前記ハードディスクエラーとなっている箇所を特定し、識別する手段と、ファイルシステム領域を２重化によりバックアップする手段と、前記ハードディスク装置のエラーとなっている箇所がファイルシステム領域である場合にはハードディスクに対して前回正常起動時のバックアップ領域からの読み出しを行う手段とを備えていることを特徴とする。
【００１４】
第４の手段は、第２の手段において、前記主電源スイッチによる電源断を操作部に表示する手段を有し、前記ハードディスクエラーとなっている箇所がテンポラリ領域である場合には前記操作部に前回主電源スイッチによる電源断があったこと、及びリカバリー処理を行っている旨を表示することを特徴とする。
【００１５】
第５の手段は、第３の手段において、前記主電源スイッチによる電源断を操作部に表示する手段を有し、前記ハードディスクエラーとなっている箇所がファイルシステム領域である場合には操作部に前回主電源スイッチによる電源断があったこと、及び前回正常起動時の状態にリカバリー処理を行っても良いかの確認ボタンを表示させることを特徴とする。
【００１６】
第６の手段は、第５の手段において、前記表示された確認ボタンが押下された場合にはリカバリー処理を行うことを特徴とする。
【００１７】
第７の手段は、第４又は第６の手段において、前記操作部に表示する手段は、前記リカバリー処理を行っているとき、前記操作部に主電源スイッチによる電源断を行わないように警告表示することを特徴とする。
【００１８】
第８の手段は、第１ないし第７のいずれかの手段において、前記主電源スイッチより電源断した場合に電源断日時を記録する手段を備えていることを特徴とする。
【００１９】
第９の手段は、情報を大量に記憶可能なハードディスクと、主電源スイッチ及び操作部電源キーの２つの電源断接手段とを有する画像形成装置の書き込みエラー検知方法において、前記操作部電源キー押下より電源断したのか前記主電源スイッチより電源断したのかを識別し、電源ＯＮによる装置の起動時に前記ハードディスクエラーを検出した場合、前回の電源断が前記操作部電源キー押下によるものか前記主電源スイッチによるものかを判別し、前記判別結果に基づいて前記ハードディスクエラーか書き込み不良かを判断することを特徴とする。
【００２０】
第１０の手段は、情報を大量に記憶可能なハードディスクと、主電源スイッチ及び操作部電源キーの２つの電源断接手段とを有する画像形成装置の書き込みエラー検知をコンピュータによって実行するためのコンピュータプログラムにおいて、前記操作部電源キー押下より電源断したのか前記主電源スイッチより電源断したのかを識別する手順と、電源ＯＮによる装置の起動時に前記ハードディスクエラーを検出した場合、前回の電源断が前記操作部電源キー押下によるものか前記主電源スイッチによるものかを判別する手順と、前記判別結果に基づいて前記ハードディスクエラーか書き込み不良かを判断する手順と、を備えていることを特徴とする。
【００２１】
なお、後述の実施形態において、ハードディスクは第１ないし第４のＨＤＤ１００〜１０３に、主電源スイッチは符号１０９に操作部電源キーは電源キー１１７に、操作部電源キー押下より電源断したのか主電源スイッチより電源断したのかを識別する手段は電源断検知回路１１２に、ハードディスクエラーを検出する手段はＨＤＤエラー検知回路１１３に、前回の電源断が操作部電源キー押下によるものか主電源スイッチによるものかを判別する手段は電源断検知回路１１２に、再書き込みを行う手段はＣＰＵ１０４と制御ＡＳＩＣに、ファイルシステム領域を２重化によりバックアップする手段はハードディスクに設けられたバックアップ領域に、バックアップ領域からの読み出しを行う手段はＣＰＵ１０４に制御ＡＳＩＣに、それぞれ対応し、判別手段の判別結果に基づいて、発生したエラーがハードディスクエラーか書き込み不良かの判断、及びリカバリー処理はＣＰＵ１０４によって行われる。
【発明の効果】
【００２２】
本発明によれば、ＨＤＤの書き込みエラーが正規手順でオフされた電源オフによるものか否かを簡単に判別し、システムを正常復帰できるようにすることができる。
【発明を実施するための最良の形態】
【００２３】
以下、図面を参照し、本発明の実施形態について説明する。
【００２４】
図１は本発明の実施形態に係る画像形成装置の制御構成を示すブロックである。同図において、画像形成装置のメインコントローラＣＴＲは、４台のＨＤＤ１ないし４（１００〜１０３）、ＣＰＵ１０４、不揮発メモリ１０５、画像形成装置制御ＡＳＩＣ１０６、及びＲＴＣ回路１０８を備え、画像形成装置制御ＡＳＩＣ１０６には、操作部１０７及び主電源スイッチ１０９が接続されている。また、ホストＰＣ１１０が前記画像形成装置制御ＡＳＩＣ１０６のホストＩ／Ｆ回路１１６を介して当該画像形成装置制御ＡＳＩＣ１０６に接続されている。
【００２５】
第１ないし第４のＨＤＤ１００〜１０３は画像形成装置に内蔵されたＨＤＤであり、ＨＤＤには主に画像データ、各アプリソフト、ログデータ、アドレス帳等の個人データが格納される。ＣＰＵ１０４は、画像形成装置を制御するメイン回路の制御を行う集中演算装置である。不揮発メモリ１０５は、課金データ、ログデータ、各種パラメータ情報、履歴等の情報を保管する。制御ＡＳＩＣ１０６には画像形成装置の制御に必要な各回路が設けられている。操作部１０７は画像形成装置の操作に必要なキー及び表示部で構成されている。
【００２６】
また、操作部上には電源キー１１７が配置されており、電源ＯＦＦ時はこの電源キー押下で電源を落とすようになっている。ＲＴＣ回路１０８は現在時刻を保存する回路である。主電源スイッチ１０９は、図示しないＰＳＵより本体に供給される電源のＯＮ／ＯＦＦ制御を行うスイッチとなっている。
【００２７】
制御ＡＳＩＣ１０６には、ＨＤＤ制御回路１１１、電源段検知回路１１２、ＨＤＤエラー検知回路１１３、ＨＤＤエラー箇所検知回路１１４、及びＨＤＤ領域識別回路１１５、その他の回路が設けられている。図示した回路は、本実施形態に係る制御で必要な機能に関するものだけである。ＨＤＤ制御回路１１１はＨＤＤ１００〜１０３に対してコマンドを発行し、リード／ライト動作等の制御を実行する。電源断検知回路１１２は、電源キー１１７が押下されたのか主電源スイッチ１０９が押下されたのかを判別する。ＨＤＤエラー検知回路１１３はＨＤＤアクセス時にＨＤＤより返されるステータスを元にＨＤＤにエラーが発生しているかいないかを判別する。ＨＤＤエラー箇所検知回路１１４はＨＤＤエラー発生時にアクセスしたＬＢＡ（Logical Block Addressing)を記憶しておき、どの箇所でエラーが発生したかを知る。ＨＤＤ領域識別回路１１５は予め設定されたＨＤＤ領域仕様を元にエラーが発生した領域がどの領域にあたるかを識別する。ホストＩ／Ｆ回路１１６はＮＩＣ、ＵＳＢ等のＩ／Ｆにより１１０のホストＰＣを接続する回路である。
【００２８】
図２はＣＰＵの制御手順を示すフローチャートである。なお、ＣＰＵ１０４は図示しないＲＯＭに格納されたプログラムを、ＲＡＭをワークエリアとして使用しながら実行する。
【００２９】
このフローチャートは、電源ＯＮでの起動時にＨＤＤエラーを検出した場合、前回の電源断が操作部電源キー押下によるものか主電源スイッチによるものかを判別することによってＨＤＤエラーか書込み不良かを判別する手順を示している。そこで、このフローチャートでは、まず、電源ＯＮでの起動時にＨＤＤエラーが検出されると（ステップＳ１０１−ＹＥＳ）、電源断が電源キー１１７で行われたものか、主電源スイッチ１０９で行われたものかを判断する（ステップＳ１０２）。電源キー１１７で電源が断にされていれば、主電源スイッチ１０９はオン状態であり、第１ないし第４のＨＤＤ１００〜１０３には通電されているので、ＨＤＤエラーと判断する（ステップＳ１０５）。
【００３０】
一方、電源スイッチ１０９で電源が断にされていれば、ＨＤＤ書き込み中の電源断と判断し（ステップＳ１０３）、主電源断の履歴を不揮発メモリ１０５に記録し（ステップＳ１０４）、処理を終える。
【００３１】
これをさらに詳しく説明すると、マルチファンクション（コピー、プリンタ、スキャナ機能）を有した画像形成装置において、主電源スイッチ１０９より本体電源をＯＮした際、通常は何もエラーが表示されずに起動するが、ＨＤＤ故障もしくはＨＤＤ書き込み中の電源断があった場合にはＨＤＤエラーを検出する（ステップＳ１０１）。ＨＤＤエラーを検知したら、次に電源断検知回路１１２の主電源断フラグが立っているか立っていないかを見に行く。主電源断フラグは前回の電源断時、操作部電源キー押下により電源断を行ったのか、主電源スイッチにより電源断を行ったのかの検知によりフラグのＯＮ／ＯＦＦを決定している。主電源断フラグはデフォルトＯＮとなっており、操作部電源キー１１７押下を行い、規定の手順を踏んだ場合にはフラグがクリアされる仕組みとなっている。フラグは不揮発メモリ１０６に記録される。これにより、ステップＳ１０５でＨＤＤエラーと判断することができる。
【００３２】
図３はＨＤＤエラーとなっている箇所を特定し、及び識別する制御手順を示すフローチャートである。
【００３３】
ステップＳ１０２の判断で主電源断フラグが立っている（主電源スイッチ断）場合には図３のフローチャートに進み、ＨＤＤエラー箇所を検知する（ステップＳ２０１）。まず、発生箇所がテンポラリ領域かどうかを判断し（ステップＳ２０２）、テンポラリ領域であった場合にはＨＤＤエラーが発生している箇所に対して上書きによるリカバリー処理を実施する（ステップＳ２０３）。リカバリー処理を実施することで次回のＨＤＤアクセス時にＨＤＤエラーが表示されないようになる。
【００３４】
一方、ＨＤＤエラー領域がテンポラリ領域でなく（ステップＳ２０２−ＮＯ）、ファイルシステム領域であった場合（ステップＳ２０６−ＹＥＳ）、単なる上書き消去だけではシステムとして起動ができないので、ＨＤＤに２重化しておいたバックアップ領域からデータを読み出して起動及びバックアップ領域データをＨＤＤエラー領域に書き込むリカバリー処理を実施する（ステップＳ２０７）。リカバリー処理を実施することで次回のアクセス時にＨＤＤエラーが表示されないようになる。
【００３５】
なお、ステップＳ２０３及びステップＳ２０７でリカバリー処理を実施する際、リカバリー処理を実施している旨を表示させ（ステップＳ２０４、Ｓ２０８）、電源断しないように注意を促す。さらに主電源スイッチ１０９による電源断があったことを操作部に表示させ（ステップＳ２０５，ｓ２０９）、主電源スイッチ１０９による電源断を行わないようにユーザに対して警告を表示させる。
【００３６】
なお、ステップＳ２０３及びＳ２０７でリカバリー処理を実施する際、リカバリー処理を行うかどうかの確認ボタンを操作部１０７に表示させ、確認ボタンが押下された場合にはリカバリー処理を実施する。
【００３７】
また、ステップＳ１０２で主電源スイッチ１０９による電源断か、操作部電源キー１１７による電源断かの判別を行った際、主電源スイッチ１０９による電源断と判断した場合には不揮発メモリ１０６に主電源断のあった履歴を記録する。また、併せて主電源スイッチ１０９による電源断後の電源ＯＮ時間も履歴として残し、その際、サービスコールが記録されていた場合には併せてその情報も履歴として出力する。システムレポートの履歴表示例を表１に示す。
【表１】
2010004293.tif 000003
【００３８】
以上のように本実施形態によれば、
１）規定の手順を踏んで電源をＯＦＦしたのかそれとも手順を踏まずに電源をＯＦＦしたのかを判別しているので、ＨＤＤ不良か書き込み不良か判断することができる。  
２）ＨＤＤエラー箇所が特定されたときには、ＨＤＤ書き込み中の電源断発生箇所に対して上書きを行っているので、ＨＤＤエラーを解消することができる。  
３）ファイルシステムを２重化しているので、ＨＤＤ書き込み中の電源断発生時に正常起動時のファイルシステムを読み込むことにより正常起動時の状態に戻すことができる。  
４）テンポラリ領域をリカバリーする場合、テンポラリ領域のリカバリー中に操作部に表示を行うので、リカバリー処理中の電源断禁止を促すとともに、主電源スイッチによる電源断の禁止を促すことができる。  
５）ファイルシステム領域をリカバリーする場合、ファイルシステム領域のリカバリー中に操作部に表示を行うので、リカバリー処理中の電源断禁止を促すとともに、主電源スイッチによる電源断の禁止を促すことができる。  
６）電源断の履歴を記録する際、規定の手順を踏まずに電源をＯＦＦしたときの日時を履歴として残すので、異常発生時に早急な原因の見極めが可能となる。  
７）本実施形態では、大容量記憶装置をＨＤＤに特化し、電源断フラグ及びＨＤＤエラー検出により書き込み中の電源断の有無を判別し、データの不整合を上書きにより解消し、システムを正常復旧させることができる。  
８）本実施形態ではバックアップ電源が不要なので、安価なシステムで構成することができる。  
等の効果を奏する。
【００３９】
なお、本発明は本実施形態に限定されるものではなく、特許請求の範囲に記載された技術思想に含まれる技術的事項の全てが対象となる。
【図面の簡単な説明】
【００４０】
【図１】本発明の実施形態に係る画像形成装置の制御構成を示すブロックである。
【図２】本実施形態におけるＨＤＤエラーか書き込みエラーかを判定する制御手順を示すフローチャートである。
【図３】ＨＤＤエラーとなっている箇所を特定し、及び識別する制御手順を示すフローチャートである。
【符号の説明】
【００４１】
１００〜１０３  ＨＤＤ
１０４  ＣＰＵ
１０５  不揮発メモリ
１０６  制御ＡＳＩＣ
１０７  操作部
１０８  ＲＴＣ回路
１０９  主電源スイッチ
１１１  ＨＤＤ制御回路
１１２  電源断検知回路
１１３  ＨＤＤエラー検知回路
１１４  ＨＤＤエラー箇所検知回路
１１５  ＨＤＤ領域識別回路
【図１】
2010004293.tif 000004
【図２】
2010004293.tif 000005
【図３】
2010004293.tif 000006